(57)【要約】【課題】  太陽電池パネルによる発電量を増加可能とすること。【解決手段】  外部機器（不図示）の電力入力コネクタ（不図示）を電力供給コネクタ９に挿したことが検出されたときに、コレステリック液晶パネル１４の外周部の画素を全て透明とし、中央部の画素にコンテンツを表示させるようにした。そのため、コレステリック液晶パネル１４を透過する光量を増やすことができ、太陽電池パネル１５に入射する光量を増加させ、その入射光量が増加することで太陽電池パネル１５による発電量を増加させることができ、外部機器（不図示）に大きな電力を安定供給することができる。【選択図】    図２
2006053206.tif 000002
【特許請求の範囲】
【請求項１】
光透過率を画素毎に設定可能な透過層が前面側に配され、その透過層を透過した光を、背面側に配された太陽電池パネルに吸収させることで表示を行う反射型表示装置であって、前記太陽電池パネルによる発電量を増加させる必要があるか否かを判定する判定手段と、その判定手段による判定結果に基づいて前記透過層の光透過率を制御する制御手段とを備えたことを特徴とする反射型表示装置。
【請求項２】
前記制御手段は、前記太陽電池パネルによる発電量を増加させる必要があると判定されると、前記透過層の全画素の光透過率を最大とすることを特徴とする請求項１に記載の反射型表示装置。
【請求項３】
前記制御手段は、前記太陽電池パネルによる発電量を増加させる必要があると判定されると、前記透過層の一部の画素の光透過率を最大とし、且つ、その他の画素で前記表示が行われるように当該その他の画素の光透過率を制御することを特徴とする請求項１に記載の反射型表示装置。
【請求項４】
前記制御手段は、前記太陽電池パネルによる発電量を増加させる必要があると判定されると、階調反転して前記表示が行われるように前記透過層の光透過率を制御することを特徴とする請求項１に記載の反射型表示装置。
【請求項５】
前記太陽電池パネルで発電された電気エネルギーを蓄える蓄電池を備え、前記判定手段は、前記蓄電池の電池残量が所定閾値より小さくなると、前記太陽電池パネルによる発電量を増加させる必要があると判定することを特徴とする請求項１から４のいずれか１項に記載の反射型表示装置。
【請求項６】
前記判定手段は、前記蓄電池に外部機器が接続されると、前記太陽電池パネルによる発電量を増加させる必要があると判定することを特徴とする請求項１から５のいずれか１項に記載の反射型表示装置。
【発明の詳細な説明】
【技術分野】
【０００１】
本発明は、前面側への入射光を反射することで表示を行う反射型表示装置に関する。
【背景技術】
【０００２】
従来、この種の反射型表示装置としては、光を透過するフォーカルコニック状態と光を反射するプレーナ状態とを画素毎に切り替え可能なコレステリック液晶パネルが前面側に配され、そのコレステリック液晶パネルを透過した光を吸収する黒色の太陽電池パネルが背面側に配されたものがある。そして、このような反射型表示装置にあっては、光を透過する画素（透明な画素）に太陽電池パネルの色（黒色）が表示され、光を反射する画素に反射光の色（白濁色）が表示され、その結果、文字等を含む画像が前面側に表示される。
【０００３】
また、その際、透明な画素を透過した光が太陽電池パネルに入射され、その入射される光によって太陽電池パネルで発電が行われ、その結果、反射型表示装置を駆動するための電源である蓄電池に電気エネルギーが蓄えられる（例えば、特許文献１参照。）。
【特許文献１】特表２００３―５１３３１８号公報
【発明の開示】
【発明が解決しようとする課題】
【０００４】
しかしながら、上記従来の技術にあっては、コレステリック液晶パネルを透過した光で太陽電池パネルに発電を行わせるようになっているため、反射型表示装置に黒色の文字と白色の背景部とからなる白黒の画像を表示させている場合、つまり、光を透過する画素の数が少ない場合には、太陽電池パネルによる発電量が小さくなってしまう恐れがあった。
本発明は、上記従来技術の未解決の問題点を解決することを目的とするものであって、太陽電池パネルによる発電量の増加の必要に応じて当該発電量を増加可能な反射型表示装置を提供することを課題とする。
【課題を解決するための手段】
【０００５】
上記課題を解決するために、第１の発明である反射型表示装置は、光透過率を画素毎に設定可能な透過層が前面側に配され、その透過層を透過した光を、背面側に配された太陽電池パネルに吸収させることで表示を行う反射型表示装置であって、前記太陽電池パネルによる発電量を増加させる必要があるか否かを判定する判定手段と、その判定手段による判定結果に基づいて前記透過層の光透過率を制御する制御手段とを備えたことを特徴とする。なお、透過層としては、例えば、コレステリック液晶パネル及びカイラルネマティック液晶パネル等の記憶性を有するものや、高分子分散液晶パネル等の記憶性を有さないもの等を挙げることができる。さらに、太陽電池パネルによる発電量を増加させる必要としては、例えば、所定の条件が満たされるときに自動的に発生されるものや、利用者によって手動で発生されるもの等を挙げることができる。
【０００６】
この第１の発明によれば、太陽電池パネルによる発電量を増加させる必要があるときに、透過層の光透過率を増加させることで、透過層を透過する光量を増やすことができる。そして、太陽電池パネルに入射する光量を増加させ、その入射光量が増加させることで、太陽電池パネルによる発電量を増加させることができる。
また、第２の発明である反射型表示装置にあっては、前記制御手段は、前記太陽電池パネルによる発電量を増加させる必要があると判定されると、前記透過層の全画素の光透過率を最大とすることを特徴とする。
【０００７】
この第２の発明によれば、太陽電池パネルによる発電量を増加させる必要があるときに、前面側から入射する光を透過層に透過させて、ほぼそのままの強さで太陽電池パネルに入射させる領域（透明な領域）を広げることができ、その結果、太陽電池パネルに入射する光量を増加させることができる。
さらに、第３の発明である反射型表示装置にあっては、前記制御手段は、前記太陽電池パネルによる発電量を増加させる必要があると判定されると、前記透過層の一部の画素の光透過率を最大とし、且つ、その他の画素で前記表示が行われるように当該その他の画素の光透過率を制御することを特徴とする。
【０００８】
この第３の発明によれば、太陽電池パネルによる発電量を増加させる必要があるときに、前面側から入射する光を透過層に透過させて、ほぼそのままの強さで太陽電池パネルに透過させる領域（透明な領域）を広げることができ、その結果、太陽電池パネルに入射する光量を増加させることができ、また、文字や映像等の画像の表示も行わせることができる。
【０００９】
また、第４の発明である反射型表示装置にあっては、前記制御手段は、前記太陽電池パネルによる発電量を増加させる必要があると判定されると、階調反転して前記表示が行われるように前記透過層の光透過率を制御することを特徴とする。
この第４の発明によれば、例えば、黒色の文字と白色の背景部とからなる白黒の画像を表示させる場合、つまり、光を透過する画素（透明な画素）の数が少ない場合に、階調反転させて表示することで、透明な画素の数を増加させ、透過層に入射する光をほぼそのままの強さで太陽電池パネルに透過させる領域（透明な領域）を広げることができる。
【００１０】
さらに、第５の発明である反射型表示装置にあっては、前記太陽電池パネルで発電された電気エネルギーを蓄える蓄電池を備え、前記判定手段は、前記蓄電池の電池残量が所定閾値より小さくなると、前記太陽電池パネルによる発電量を増加させる必要があると判定することを特徴とする。
この第５の発明によれば、例えば、蓄電池の電池残量が所定閾値より小さくなったときに、太陽電池パネルによる発電量を増加させ、蓄電池の電池残量を所定閾値より増やすことができる。そのため、例えば、その蓄電池に外部機器や内部回路等が電気的に接続された場合、その接続された外部機器や内部回路等に電力を安定供給することができる。
【００１１】
また、第６の発明である反射型表示装置にあっては、前記判定手段は、前記蓄電池に外部機器が接続されると、前記太陽電池パネルによる発電量を増加させる必要があると判定することを特徴とする。
この第６の発明によれば、例えば、蓄電池に外部機器が接続されたときに、太陽電池パネルによる発電量を増加させ、外部機器に大きな電力を安定供給することができる。
【発明を実施するための最良の形態】
【００１２】
以下、本発明の反射型表示装置の実施形態として、所定のページに区切られた複数のコンテンツを閲覧するための電子ブックリーダに適用した例を図面に基づいて説明する。
【００１３】
＜第１実施形態＞
この電子ブックリーダは、黒色の文字と白色の背景部とからなる白黒の画像を含むコンテンツを表示させるものであって、前面側に配されて、コンテンツの画像データ（コンテンツに含まれる文字や映像等の画像を表示するためのデータ）を表示させる画素（以下、「画像データ対応画素」とも呼ぶ。）を透明とし、背景部を表示させる画素に入射光を反射させるコレステリック液晶パネルと、背面側に配されて、コレステリック液晶パネルを透過した光を受けて発電する太陽電池パネルとを備えるコンテンツ表示部を含むものである。そして、この電子ブックリーダは、太陽電池パネルで発電された電気を蓄える蓄電池に外部機器が接続され、携帯性と環境性能（低環境負荷）とを併せ持つ外部電源とされるときに、コレステリック液晶パネルの光透過率を変化させ、コレステリック液晶パネルを透過して太陽電池パネルに入射する光量を変化させることで、発電量を増加可能としたものである。
【００１４】
＜電子ブックリーダの構成＞
図１は、本実施形態の電子ブックリーダの外観を示す概略構成図である。また、図２は、本実施形態の内部構成を示すブロック図である。この図２に示すように、電子ブックリーダ１は、ページ送りスイッチ２、画像データ生成部３、画像データ入力Ｉ／Ｆ４、コレステリックＬＣＤ(Liquid Crystal Display)コントローラ５、フレームメモリ６、蓄電池７、電圧検出部８、電力供給コネクタ９、挿抜検出部１０、表示切替スイッチ１１、システムコントローラ１２及びコンテンツ表示部１３を含んで構成される。
【００１５】
ページ送りスイッチ２は、図１に示すように、前面側の平面視右下部に配され、利用者が押し込み操作可能な丸いボタン状に形成されている。そして、ページ送りスイッチ２は、押し込み操作されると、それまでコンテンツ表示部１３に表示されていたコンテンツの次ページのコンテンツをコンテンツ表示部１３に切換表示させる指令（以下、「ページ送り指令」とも呼ぶ。）を画像データ生成部３に出力する。
【００１６】
また、画像データ生成部３は、ページ送りスイッチ２からページ送り指令が出力されると、次ページのコンテンツの画像データ（ラスタデータ）を生成する。そして、画像データ生成部３は、その生成された画像データを画像データ入力Ｉ／Ｆ４に出力する。
さらに、画像データ入力Ｉ／Ｆ４は、画像データ生成部３から画像データが出力されると、その出力された画像データを、コレステリックＬＣＤコントローラ５とフレームメモリ６とに入力する。
【００１７】
また、コレステリックＬＣＤコントローラ５は、システムコントローラ１２から全画素画像表示指令（後述）が出力されると、或いは画像データ入力Ｉ／Ｆ４から画像データが入力されると、画像データに対応するコンテンツがコンテンツ表示部１３の全画素に表示されるように、コンテンツ表示部１３の行ドライバ２１（後述）を駆動させる指令（以下、「第１の行ドライバ駆動指令」とも呼ぶ。）と、列ドライバ２２（後述）を駆動させる指令（以下、「第１の列ドライバ駆動指令」とも呼ぶ。）とを生成する。そして、コレステリックＬＣＤコントローラ５は、第１の行ドライバ駆動指令と第１の列ドライバ駆動指令とをコンテンツ表示部１３の行ドライバ２１（後述）と列ドライバ２２（後述）とに出力する。
【００１８】
さらに、コレステリックＬＣＤコントローラ５は、システムコントローラ１２から縮小画像表示指令（後述）が出力されると、画像データ入力Ｉ／Ｆ４から入力される画像データに対応するコンテンツが中央画素に縮小表示されるように、つまり、コレステリック液晶パネル１４の外周部の画素と中央部の画像データ対応画素とが透明（光透過率最大）となるように、コンテンツ表示部１３の行ドライバ２１（後述）を駆動させる指令（以下、「第２の行ドライバ駆動指令」とも呼ぶ。）と、列ドライバ２２（後述）を駆動させる指令（以下、「第２の列ドライバ駆動指令」とも呼ぶ。）とを生成する。そして、コレステリックＬＣＤコントローラ５は、それら第２の行ドライバ駆動指令と第２の列ドライバ駆動指令とをそれぞれコンテンツ表示部１３の行ドライバ２１（後述）と列ドライバ２２（後述）とに出力する。
【００１９】
また、コレステリックＬＣＤコントローラ５は、システムコントローラ１２から全画素黒色表示指令（後述）が出力されると、コンテンツ表示部１３の全画素に黒色が表示されるように、つまり、コレステリック液晶パネル１４の全画素が透明となるように、コンテンツ表示部１３の行ドライバ２１（後述）を駆動させる指令（以下、「第３の行ドライバ駆動指令」とも呼ぶ。）と、列ドライバ２２（後述）を駆動させる指令（以下、「第３の列ドライバ駆動指令」とも呼ぶ。）とを生成する。そして、コレステリックＬＣＤコントローラ５は、それら第３の行ドライバ駆動指令と第３の列ドライバ駆動指令とをそれぞれコンテンツ表示部１３の行ドライバ２１（後述）と列ドライバ２２（後述）とに出力する。
【００２０】
また、フレームメモリ６は、画像データＩ／Ｆ４から画像データが入力されると、その入力された画像データ（１ページ分のコンテンツに含まれる画像を表示するためのデータ）を格納する。そして、フレームメモリ６は、システムコントローラ１２からの読み出し要求に従って、格納している画像データをシステムコントローラ１２に読み出させる。
さらに、蓄電池７は、リチウムイオン電池等の２次電池であって、コンテンツ表示部１３の太陽電池パネル１５（後述）から電気を供給されると、その供給された電気のエネルギーを蓄える。そして、蓄電池７は、電力供給コネクタ９に外部機器（不図示）の電力入力コネクタ（不図示）が接続されると、電力供給コネクタ９や電力入力コネクタ（不図示）を介して、外部機器（不図示）に電気を供給する。なお、外部機器（不図示）としては、携帯電話端末や、その他の情報端末等の電池を電源とする機器を挙げることができる。
【００２１】
また、電圧検出部８は、蓄電池７の出力電圧を検出する。そして、電圧検出部８は、その蓄電池７の出力電圧の検出結果を、システムコントローラ１２に出力する。
さらに、電力供給コネクタ９は、図１に示すように、左側面側の下部に配され、外部機器（不図示）の電力入力コネクタ（不図示）を挿入可能に形成されている。そして、電力供給コネクタ９は、外部機器（不図示）の電力入力コネクタ（不図示）が挿されると、図２に示すように、電力入力コネクタ（不図示）を介して、外部機器（不図示）の本体部に電子ブックリーダ１の蓄電池７を電気的に接続する。
【００２２】
また、挿抜検出部１０は、外部機器（不図示）の電力入力コネクタ（不図示）が挿入されたときにのみ短絡する専用の電気的接点であって、電力入力コネクタ（不図示）が電力供給コネクタ９に挿されたり電力供給コネクタ９から抜かれたりしたことを検出する。そして、挿抜検出部１０は、それらの検出結果をシステムコントローラ１２に出力する。
さらに、表示切替スイッチ１１は、図１に示すように、前面側の平面視右上部に配され、利用者が押し込み操作可能な丸いボタン状に形成されている。そして、表示切替スイッチ１１は、押し込み操作されると、コンテンツの表示・非表示を切り替えさせる指令（以下、「表示切替指令」とも呼ぶ。）をシステムコントローラ１２に出力する。
【００２３】
また、システムコントローラ１２は、表示切替スイッチ１１から表示切替指令が出力されると表示面積変更処理（後述）を実行する。そして、システムコントローラ１２は、その表示面積変更処理（後述）によって、挿抜検出部１０から出力される検出結果や、表示切替スイッチ１１から出力される表示切替指令に基づいて、コンテンツ表示部１３のコレステリック液晶パネル１４（後述）を透過して太陽電池パネル１５（後述）に入射する光量を変化させる指令を生成し、その生成された指令をコレステリックＬＣＤコントローラ５に出力する。なお、前記太陽電池パネル１５（後述）に入射する光量を変化させる指令としては、例えば、前記入射する光量（透明な画素の数）が最小となるように、コンテンツ表示部１３の全画素にコンテンツを表示させる電圧の印加指令（全画素画像表示指令（後述））や、前記入射する光量が大きくなるように、コンテンツを中央画素に縮小表示させる（外周部の画素を全て透明とさせる）電圧の印加指令（縮小画像表示指令（後述））、前記入射する光量が最大となるように、コンテンツ表示部１３の全画素に黒色を表示させる電圧の印加指令（全画素黒色表示指令（後述））等を挙げることができる。
【００２４】
さらに、コンテンツ表示部１３は、図３の側面断面図に示すように、コレステリック液晶パネル１４及び太陽電池パネル１５を含んで構成される。コレステリック液晶パネル１４は、図２に示すように、前面側の平面視中央部に配されている。そして、コレステリック液晶パネル１４は、図３に示すように、コレステリック液晶が封入されたコレステリック液晶層１６と、そのコレステリック液晶層１６の上下面を挟む複数の透明電極（行電極１７、列電極１８）と、その行電極１７の上面及び列電極１８の下面から、コレステリック液晶層１６内のコレステリック液晶を挟んで封入するガラス板１９、２０を含んで構成される。また、行電極１７は、平面視縦方向に沿って互いに平行に配され、列電極１８は、平面視横方向に沿って互いに平行に配され、それら行電極１７と列電極１８との交差点それぞれに画素が形成される。
【００２５】
また、コレステリック液晶パネル１４は、図２に示すように、コレステリック液晶層１６の平面視左側に配された行ドライバ２１と、平面視上側に配された列ドライバ２２とを備える。また、行ドライバ２１及び列ドライバ２２は、行電極１７と列電極１８とを介し、コレステリックＬＣＤコントローラ５から出力される第１〜第３の行ドライバ駆動指令及び第１〜第３の列ドライバ駆動指令に従って、任意の画素に所定電圧を印可する。
【００２６】
さらに、太陽電池パネル１５は、コレステリック液晶パネル１４の背面側に配され、コレステリック液晶パネル１４を透過して入射する光を受けて発電する。そして、太陽電池パネル１５は、その発電された電気のエネルギーを蓄電池７に供給する。なお、太陽電池パネル１５の種類としては、前面側が黒色のものであればどのようなものでもよく、例えば、シリコン型（単結晶、多結晶、アモルファス）、色素増感型を挙げることができる。
【００２７】
＜システムコントローラの動作＞
次に、システムコントローラ１２で実行される表示面積変更処理を、図４のフローチャートに従って説明する。この表示面積変更処理は、表示切替スイッチ１１から表示切替指令が出力されると実行される処理であって、まずそのステップＳ１０１で、挿抜検出部１０から出力される検出結果に基づいて、電源外部機器（不図示）の電力入力コネクタ（不図示）が電力供給コネクタ９に挿されたり電力供給コネクタ９から抜かれたりしたか否か、つまり、電源入力コネクタ（不図示）の挿抜状態が変化したか否かを判定する。そして、挿抜状態が変化した場合には（Ｙｅｓ）ステップＳ１０２に移行し、そうでない場合、つまり、挿抜状態が変化していない場合には（Ｎｏ）このステップを繰り返し実行する。
【００２８】
前記ステップＳ１０２では、太陽電池パネル１５による発電量を増加させる必要が発生したか否かを判定する。具体的には、挿抜検出部１０から出力される検出結果に基づいて、外部機器（不図示）の電力入力コネクタ（不図示）が電力供給コネクタ９に挿されたか否かを判定する。そして、電力入力コネクタ（不図示）が挿された場合には（Ｙｅｓ）ステップＳ１０３に移行し、そうでない場合、つまり、電力入力コネクタ（不図示）が抜かれた場合には（Ｎｏ）ステップＳ１０４に移行する。
【００２９】
前記ステップＳ１０３では、コンテンツ表示部１３の中央画素にコンテンツを縮小表示させる指令（以下、「縮小画像表示指令」とも呼ぶ。）をコレステリックＬＣＤコントローラ５に出力してから、ステップＳ１０５に移行する。
一方、前記ステップＳ１０４では、コンテンツ表示部１３の全画素にコンテンツを表示させる指令（以下、「全画素画像表示指令」とも呼ぶ。）をコレステリックＬＣＤコントローラ５に出力してから、前記ステップＳ１０５に移行する。
【００３０】
前記ステップＳ１０５では、表示切替スイッチ１１から表示切替指令が出力されたか否かを判定する。そして、表示切替指令が出力された場合には（Ｙｅｓ）ステップＳ１０６に移行し、出力されていない場合には（Ｎｏ）前記ステップＳ１０１に移行する。
前記ステップＳ１０６では、コンテンツ表示部１３の全画素に黒色を表示させる指令（以下、「全画素黒色表示指令」とも呼ぶ。）をコレステリックＬＣＤコントローラ５に出力してから、この演算処理を終了する。
【００３１】
＜電子ブックリーダの具体的動作＞
次に、本実施形態の電子ブックリーダ１の動作を具体的状況に基づいて説明する。
まず、表示切替スイッチ１１を押し込み操作した後、電子ブックリーダ１に次ページのコンテンツを切換表示させようと、ページ送りスイッチ２を押し込み操作したとする。すると、表示切替スイッチ１１によって、表示切替指令がシステムコントローラ１２に出力され、システムコントローラ１２によって、表示面積変更処理が実行され、図４に示すように、まずそのステップＳ１０１の判定が「Ｎｏ」となり、その判定が繰り返される。
【００３２】
また、ページ送りスイッチ２によって、ページ送り指令が画像データ生成部３に出力され、さらに、画像データ生成部３によって、次ページのコンテンツの画像データが生成され、その画像データが画像データ入力Ｉ／Ｆ４に出力される。そして、画像データ入力Ｉ／Ｆ４によって、その画像データがコレステリックＬＣＤコントローラ５に入力される。
さらに、コレステリックＬＣＤコントローラ５によって、その画像データに基づいて第１の行ドライバ駆動指令と第１の列ドライバ駆動指令とが生成され、その第１の行ドライバ駆動指令と第１の列ドライバ駆動指令とが行ドライバ２１と列ドライバ２２とに出力される。そして、行ドライバ２１と列ドライバ２２とによって、その第１の行ドライバ駆動指令と第１の列ドライバ駆動指令とに従って、コレステリック液晶パネル１４の画像データ対応画素に所定電圧が印可され、図５の画素ａに示すように、画像データ対応画素が透明とされ、画素ｂに示すように、背景部を表示させる画素で入射光が反射される。その結果、その透明な画素に黒色が表示され、また、背景部を表示させる画素に当該画素による反射光の色（白濁色）が表示されることで、図６（ａ）に示すように、コンテンツ表示部１３の全画素にコンテンツが表示される。
【００３３】
また、コンテンツ表示部１３の全画素にコンテンツが表示されると、そのコンテンツの背景部を表示させる画素（コンテンツ表示部１３の殆どの面積を占める画素）に入射した光が弱められて透過し、画像データ対応画素（コンテンツ表示部１３の僅かな面積を占める画素）に入射した光がほぼそのままの強さで透過し、それら透過した光が太陽電池パネル１５に入射する。そして、太陽電池パネル１５によって、その入射した光のエネルギーが電気エネルギーに変換され、その変換された電気エネルギーが蓄電池７に蓄えられる。
【００３４】
ここで、外部機器（不図示）を充電しようと、利用者が外部機器の電力入力コネクタ（不図示）を電力供給コネクタ９に挿したとする。すると、挿抜検出部１０によって、電力入力コネクタ（不図示）が電力供給コネクタ９に挿されたことが検出され、その検出結果がシステムコントローラ１２に出力される。そのため、表示面積変更処理で、前記ステップＳ１０１及びＳ１０２の判定が「Ｙｅｓ」となり、ステップＳ１０３で、縮小画像表示指令がコレステリックＬＣＤコントローラ５に出力される。そして、ステップＳ１０５の判定が「Ｎｏ」となり、上記フローが前記ステップＳ１０１から繰り返される。
【００３５】
そして、コレステリックＬＣＤコントローラ５によって、画像データ入力Ｉ／Ｆ４から入力される画像データに基づいて第２の行ドライバ駆動指令と第２の列ドライバ駆動指令とが生成され、その生成された第２の行ドライバ駆動指令と第２の列ドライバ駆動指令とが行ドライバ２１と列ドライバ２２とに出力される。そして、行ドライバ２１と列ドライバ２２とによって、その出力された第２の行ドライバ駆動指令と第２の列ドライバ駆動指令とに従って、コレステリック液晶パネル１４の外周部の画素と中央部の画像データ対応画素とに所定電圧が印可され、外周部の画素と中央部の画像データ対応画素とが透明とされ（光透過率が最大とされ）、背景部を表示させる画素で入射光が反射される（光透過率が最小とされる）。その結果、その透明な画素に黒色が表示され、背景部を表示させる画素に当該画素による反射光の色（白濁色）が表示されることで、図６（ｂ）に示すように、コンテンツ表示部１３の中央画素にコンテンツが縮小表示される。
【００３６】
また、コンテンツ表示部１３の中央画素にコンテンツが表示されると、そのコンテンツの背景部を表示させる画素に入射した光が弱められて透過し、外周部の画素と画像データ対応画素とに入射した光がほぼそのままの強さで透過し、それらを透過した光、つまり、コンテンツ表示部１３の全画素にコンテンツを表示させた場合より強い光が太陽電池パネル１５に入射する。そして、太陽電池パネル１５によって、その入射した光のエネルギーが電気エネルギーに変換され、その変換された電気エネルギーが蓄電池７に蓄えられる。
【００３７】
このように、本実施形態の電子ブックリーダ１にあっては、外部機器（不図示）の電力入力コネクタ（不図示）を電力供給コネクタ９に挿したことが検出されたときに、コレステリック液晶パネル１４の光透過率を増加させることで、コレステリック液晶パネル１４を透過する光量を増やすことができる。そして、太陽電池パネル１５に入射する光量を増加させ、その入射光量が増加することで、太陽電池パネル１５による発電量を増加させることができ、その結果、外部機器（不図示）に大きな電力を安定供給することができる。
【００３８】
また、その際、コレステリック液晶パネル１４の外周部の画素を全て透明（光透過率を最大）とし、且つ、中央部の画素でコンテンツが表示されるように当該中央の画素の光透過率を制御するようにした。そのため、外周部の透明な領域、つまり、コレステリック液晶層１６に入射する光を透過させて、ほぼそのままの強さで太陽電池パネル１５に入射させる領域を広げることができ、その結果、太陽電池パネル１４に入射する光量を増加させることができ、また、白黒の画像を含むコンテンツの表示も行わせることができる。
【００３９】
また、上記フローが繰り返されるうちに、表示切替スイッチ１１が押し込み操作されたとする。すると、表示切替スイッチ１１によって、表示切替指令がシステムコントローラ１２に出力され、前記ステップＳ１０５の判定が「Ｙｅｓ」となり、ステップＳ１０６で、全画素黒色表示指令が出力された後、この演算処理が終了される。そして、コレステリックＬＣＤコントローラ５によって、第３の行ドライバ駆動指令と第３の列ドライバ駆動指令とが生成され、その第３の行ドライバ駆動指令と第３の列ドライバ駆動指令とが行ドライバ２１と列ドライバ２２とに出力される。そして、行ドライバ２１と列ドライバ２２とによって、その第３の行ドライバ駆動指令と第３の列ドライバ駆動指令とに従って、コレステリック液晶パネル１４の全画素に所定電圧が印可され、全画素が透明とされる。その結果、その透明な画素に黒色が表示され、図６（ｃ）に示すように、コンテンツ表示部１３の全画素に黒色が表示される。
【００４０】
また、コンテンツ表示部１３の全画素に黒色が表示されると、その全画素に入射した光がほぼそのままの強さで透過し、それら透過した光、つまり、コンテンツ表示部１３の中央画素にコンテンツを表示させた場合より強い光が太陽電池パネル１５に入射する。そして、太陽電池パネル１５によって、その入射した強い光のエネルギーが大きい電気エネルギーに変換され、その変換された大きい電気エネルギーが蓄電池７に順次蓄えられる。
【００４１】
なお、本実施形態では、図４に示すように、電力入力コネクタ（不図示）の挿抜状態が変化したことが検出された後（ステップＳ１０１「Ｙｅｓ」）、電力入力コネクタ（不図示）が挿されたことが検出されたか否かを判定する（ステップＳ１０２）ことで縮小画像表示指令（ステップＳ１０３）や全画素画像表示指令（ステップＳ１０４）を出力する例を示したが、これに限られるものではない。例えば、蓄電池７の電池残量が所定値（例えば、コンテンツの全ページを表示させるために必要な量）より小さいか否かを判定することで縮小画像表示指令（ステップＳ１０３）や全画素画像表示指令（ステップＳ１０４）を出力するようにしてもよい。具体的には、蓄電池７の電池残量が小さいほど蓄電池７の出力電圧が小さくなるため、図７のステップＳ１０１’に示すように、電圧検出部８から出力される蓄電池７の出力電圧の検出結果が閾値Ｖthより小さいか否かを判定する。そして、閾値Ｖthより小さい場合に（Ｙｅｓ）ステップＳ１０３に移行し、そうでない場合、つまり、閾値Ｖth以上である場合に（Ｎｏ）ステップＳ１０４に移行すればよい。
【００４２】
この変形例によれば、例えば、蓄電池７の電池残量が所定値より小さくなったときに、太陽電池パネル１５による発電量を増加させ、蓄電池７の電池残量を所定値より増やすことができる。そのため、例えば、蓄電池７に外部機器（不図示）や内部回路等が電気的に接続された場合、それら外部機器（不図示）等に電力を安定供給することができる。
さらに、電力入力コネクタ（不図示）が電力供給コネクタ９に挿されたことが検出されたときに、コンテンツ表示部１３の中央部にコンテンツを縮小表示させる例を示したが、これに限られるものではない。例えば、コンテンツ表示部１３の全画素に黒色を表示させる（全画素の光透過率を最大とさせる）ようにしてもよい。そのようにすれば、入射する光をコレステリック液晶パネル１４に透過させ、ほぼそのままの強さで太陽電池パネル１５に入射させる領域（透明な領域）を広げることができ、太陽電池パネル１５に入射する光量を増加させることができる。
【００４３】
また、表示切替スイッチ１１が押し込み操作され、表示切替指令が出力された場合、コンテンツ表示部１３の全画素に黒色を表示させる例を示したが、これに限られるものではない。例えば、コンテンツ表示部１３の中央画素にコンテンツを縮小表示さるようにしてもよく、コンテンツ表示部１３の全画素にコンテンツを表示させるようにしてもよい。
さらに、コンテンツ表示部１３の全画素にコンテンツを表示させる状態、コンテンツ表示部１３の中央画素にコンテンツを縮小表示させる状態及び、コンテンツを表示させず、コンテンツ表示部１３の全画素に黒色を表示させる状態、つまり、コンテンツを表示させる画素の領域の広さが異なる３つの状態のいずれかの状態を取らせる例を示したが、これに限られるものではなく、例えば、より多段階の状態を取らせるようにしてもよい。
【００４４】
さらに、太陽電池パネル１５で発電された電気エネルギーのみを蓄電池７に蓄えさせる例を示したが、これに限られるものではない。例えば、太陽電池パネル１５で発電された電気の他にも、外部の電源から供給される電力も蓄えることができるようにしてもよい。
【００４５】
＜第２実施形態＞
次に、本発明を適用した電子ブックリーダの第２実施形態について説明する。
この第２実施形態は、コンテンツの表示面積に代えて、表示階調を制御するようにした点が前記第１実施形態と異なる。具体的には、図８に示すように、前記第１実施形態で実行される表示面積変更処理のステップＳ１０３に代えてステップＳ２０１及びＳ２０２が配され、ステップＳ１０４に代えてステップＳ２０３が配される。
なお、この第２実施形態は、前記第１実施形態と同等の構成やステップを多く含んでおり、同等の構成等には同じ符号を付して、その詳細な説明を省略する。
【００４６】
また、コレステリックＬＣＤコントローラ５は、システムコントローラ１２から通常階調表示指令が出力されると、第１の行ドライバ駆動指令と第１の列ドライバ駆動指令とを生成する。そして、コレステリックＬＣＤコントローラ５は、それら生成された指令をそれぞれ行ドライバ２１と列ドライバ２２とに出力する。
さらに、コレステリックＬＣＤコントローラ５は、システムコントローラ１２から階調反転表示指令が出力されると、それまで光透過率が小さかった画素の光透過率を大きく設定させ、且つ、光透過率が大きかった画素の光透過率を小さく設定させる。即ち、コレステリックＬＣＤコントローラ５は、画像データＩ／Ｆ４から入力される画像データに対応するコンテンツが反転表示されるように、つまり、それまで白色を表示させていた画素に黒色が表示され、黒色を表示させる画素に白色が表示されるように（明度が反転表示されるように）、行ドライバ２１を駆動させる指令（以下、「第４の行ドライバ駆動指令」とも呼ぶ。）と、列ドライバ２２を駆動させる指令（以下、「第４の列ドライバ駆動指令」とも呼ぶ。）とを生成する。そして、コレステリックＬＣＤコントローラ５は、それら第４の行ドライバ駆動指令と第４の列ドライバ駆動指令とをそれぞれ行ドライバ２１と列ドライバ２２とに出力する。
【００４７】
また、ステップＳ２０１では、フレームメモリ６に格納されている画像データを読み出し、その読み出した画像データに基づいて、コンテンツ表示部１３に表示されているコンテンツの全画素の明るさの平均値を算出する。そして、その算出された平均値が全階調数の半分値以上であるか否かを判定し、半分値以上である場合には（Ｙｅｓ）ステップＳ２０２に移行し、半分値未満である場合には（Ｎｏ）ステップＳ１０５に移行する。
【００４８】
前記ステップＳ２０２では、コンテンツ表示部１３に階調を反転させてコンテンツを表示させる指令（以下、「階調反転表示指令」とも呼ぶ。）をコレステリックＬＣＤコントローラ５に出力してから、前記ステップＳ１０５に移行する。
一方、前記ステップＳ２０３では、コンテンツ表示部１３に通常の階調でコンテンツを表示させる指令（以下、「通常階調表示指令」とも呼ぶ。）をコレステリックＬＣＤコントローラ５に出力してから、前記ステップＳ１０５に移行する。
【００４９】
＜電子ブックリーダの具体的動作＞
次に、本実施形態の電子ブックリーダ１の動作を具体的状況に基づいて説明する。
まず、システムコントローラ１２によって、表示面積変更処理が実行され、図８に示すように、ステップＳ１０１の判定が繰り返され、また、図９（ａ）に示すように、コンテンツ表示部１３の全画素にコンテンツが表示されているときに、外部機器（不図示）を充電しようと、外部機器の電力入力コネクタ（不図示）を電力供給コネクタ９に挿したとする。すると、挿抜検出部１０によって、電力入力コネクタ（不図示）が電力供給コネクタ９に挿されたことが検出され、その検出結果がシステムコントローラ１２に出力される。
【００５０】
そのため、表示面積変更処理で、前記ステップＳ１０１及びＳ１０２の判定が「Ｙｅｓ」となり、コンテンツ表示部１３に表示されているコンテンツの全画素の明るさの平均値が全階調数の半分値以上であると、つまり、背景部を表示している画素の数が全画素数の半分値以上であるとすると、ステップＳ２０１の判定が「Ｙｅｓ」となり、ステップＳ２０２で、階調反転表示指令がコレステリックＬＣＤコントローラ５に出力され、ステップＳ１０５の判定が「Ｎｏ」となり、上記フローが前記ステップＳ１０１から繰り返される。そして、コレステリックＬＣＤコントローラ５によって、画像データ入力Ｉ／Ｆ４から入力される画像データに基づいて第４の行ドライバ駆動指令と第４の列ドライバ駆動指令とが生成され、その第４の行ドライバ駆動指令と第４の列ドライバ駆動指令とが行ドライバ２１と列ドライバ２２とに出力される。そして、行ドライバ２１と列ドライバ２２とによって、その第４の行ドライバ駆動指令と第４の列ドライバ駆動指令とに従って、それまで背景部を表示させていた画素に所定電圧が印可され、当該画素が透明とされ、また、それまでの画像データ対応画素に当該画素による反射光の色（白濁色）が表示される。その結果、その透明な画素に黒色が表示されることで、図９（ｂ）に示すように、コンテンツ表示部１３にコンテンツが反転表示される。
【００５１】
また、コンテンツ表示部１３にコンテンツが反転表示されると、それまでコンテンツの背景部を表示させていた画素に入射した光がほぼそのままの強さで透過し、また、それまでの画像データ対応画素に入射した光が弱められて透過し、それらを透過した光、つまり、コンテンツ表示部１３に通常の階調でコンテンツを表示させた場合より強い光が太陽電池パネル１５に入射する。そして、太陽電池パネル１５によって、その入射した光のエネルギーが電気エネルギーに変換され、その電気エネルギーが蓄電池７に蓄えられる。
【００５２】
このように、本実施形態の電子ブックリーダ１にあっては、例えば、黒色の文字と白色の背景部とからなる白黒の画像を表示させる場合、つまり、光を透過する画素（透明な画素）の数が少ない場合には、階調反転させて表示することで、透明な画素の数を増加させ、入射する光を透過層に透過させて、ほぼそのままの強さで太陽電池パネル１５に入射させる領域（透明な領域）を広げることができる。そのため、外部機器（不図示）の電力入力コネクタ（不図示）を電力供給コネクタ９に挿したことが検出されたときに、コレステリック液晶パネル１４を透過する光量を増やすことができ、太陽電池パネル１５に入射する光量を増加させ、その入射光量が増加することで太陽電池パネル１５による発電量を増加させることができ、外部機器（不図示）に大きな電力を安定供給することができる。
【００５３】
なお、本実施形態では、図８に示すように、電力入力コネクタ（不図示）の挿抜状態が変化したことが検出された後（ステップＳ１０１「Ｙｅｓ」）、電力入力コネクタ（不図示）が挿されたことが検出されたか否かを判定する（ステップＳ１０２）ことで階調反転表示指令（ステップＳ２０２）や通常階調表示指令（ステップＳ２０３）を出力する例を示したが、これに限られるものではない。例えば、前記第１実施形態と同様に、蓄電池７の電池残量が所定値より小さいか否かを判定することで階調反転表示指令（ステップＳ２０２）や通常階調表示指令（ステップＳ２０３）を出力するようにしてもよい。具体的には、蓄電池７の電池残量が小さいほど蓄電池７の出力電圧が小さくなるため、図１０のステップＳ１０１’に示すように、電圧検出部８から出力される蓄電池７の出力電圧の検出結果が閾値Ｖthより小さいか否かを判定する。そして、閾値Ｖthより小さい場合に（Ｙｅｓ）ステップＳ２０１に移行し、そうでない場合、つまり、閾値Ｖth以上である場合に（Ｎｏ）ステップＳ２０３に移行すればよい。
【００５４】
以上、上記実施形態では、図３のコレステリック液晶パネル１４、図３のコレステリック液晶層１６、行電極１７、列電極１８、ガラス板１９、２０が特許請求の範囲の透過層を構成し、また、図２のコレステリックＬＣＤコントローラ５、システムコントローラ１２、電圧検出部８及び挿抜検出部１０、行ドライバ２１、列ドライバ２２、図４及び図７のステップＳ１０３、図８及び図１０のステップＳ２０２が制御手段を構成する。
【００５５】
なお、本発明の反射型表示装置は、上記実施の形態の内容に限定されるものではなく、本発明の趣旨を逸脱しない範囲で適宜変更可能である。
【図面の簡単な説明】
【００５６】
【図１】第１実施形態の電子ブックリーダの外観を示す概略構成図である。
【図２】電子ブックリーダの内部構成を示すブロック図である。
【図３】コンテンツ表示部の側面を破断して示す側面断面図である。
【図４】第１実施形態の表示面積変更処理のフローチャートである。
【図５】第１実施形態の電子ブックリーダの動作を説明するための説明図である。
【図６】第１実施形態の電子ブックリーダの動作を説明するための説明図である。
【図７】第１実施形態の変形例を説明するためのフローチャートである。
【図８】第２実施形態の表示面積変更処理のフローチャートである。
【図９】第２実施形態の電子ブックリーダの動作を説明するための説明図である。
【図１０】第２実施形態の変形例を説明するためのフローチャートである。
【符号の説明】
【００５７】
１は電子ブックリーダ、２はページ送りスイッチ、３は画像データ生成部、４は画像データ入力Ｉ／Ｆ、５はコレステリックＬＣＤコントローラ、６はフレームメモリ、７は蓄電池、８は電圧検出部、９は電力供給コネクタ、１０は挿抜検出部、１１は表示切替スイッチ、１２はシステムコントローラ、１３はコンテンツ表示部、１４はコレステリック液晶パネル、１５は太陽電池パネル、１６はコレステリック液晶層、１７は行電極、１８は列電極、１９及び２０はガラス板、２１は行ドライバ、２２は列ドライバ
【図１】
2006053206.tif 000003
【図２】
2006053206.tif 000004
【図３】
2006053206.tif 000005
【図４】
2006053206.tif 000006
【図５】
2006053206.tif 000007
【図６】
2006053206.tif 000008
【図７】
2006053206.tif 000009
【図８】
2006053206.tif 000010
【図９】
2006053206.tif 000011
【図１０】
2006053206.tif 000012